(57)【要約】【課題】釣糸ガイドが担うべき本来の機能を損なわずに、無理なく軽量化を達成できる釣糸ガイドの提供。【解決手段】リング保持部７の頂部側には竿尻側に向かって立ち上がった周壁９が形成されており、側支脚１１は周壁９左右両側の下端から延出している。リング保持部７の全周にわたって周壁９が形成されず欠落部分が有るので、その分だけ軽量化が図れる。しかも、ガイドリング１５を保護すべき周壁９はリング保持部７の頂部側には設けられているので、周壁９に要求されているガイドリング１５の保護機能は十分に全うされる。また、側支脚１１はリング保持部７の延長線上近くに下ろせるので、全長が短くて済み、その分だけ軽量化が図れる。しかも、リング保持部７の頂部から取付足の基端までの全長は短くなっているので、曲げモーメントが小さくなり、釣糸ガイド１は変形し難くなる。【選択図】        図２
2010115149.tif 000002
【特許請求の範囲】
【請求項１】
嵌合孔を有するリング保持部と、前記リング保持部の左右両側から延出して下方に延びる側支脚と、前記側支脚の下端に基端が連設し後端が前記リング保持部から離れる方向に延びる取付足を含むガイドフレームと、前記リング保持部の嵌合孔に圧入されて内嵌されるガイドリングとを備え、前記取付足を前記基端が竿先側を向き前記後端が竿尻側を向く状態で竿体に着座させて取り付ける一本足タイプの釣糸ガイドにおいて、
前記リング保持部の頂部側には竿尻側に向かって立ち上がった周壁が形成されており、前記側支脚は前記周壁の左右両側の下端から延出していることを特徴とする釣糸ガイド。
【請求項２】
請求項１に記載した釣糸ガイドにおいて、
周壁はリング保持部の頂部から左右６０°以上下がった位置まで延在していることを特徴とする釣糸ガイド。
【請求項３】
請求項１または２に記載した釣糸ガイドにおいて、
側支脚は略Ｖ字をなす２本の支脚によって構成されており、前記２本の支脚がリング保持部の周壁の左右両側の下端からそれぞれ延出していることを特徴とする釣糸ガイド。
【請求項４】
請求項１から３のいずれかに記載された釣糸ガイドにおいて、
リング保持部と側支脚は略同じ角度で竿先側に傾斜していることを特徴とする釣糸ガイド。
【発明の詳細な説明】
【技術分野】
【０００１】
本発明は、釣糸ガイドに係り、特に、嵌合孔を有するリング保持部と、前記リング保持部の左右両側から延出して下方に延びる側支脚と、前記側支脚の下端に一端が連設し他端が前記リング保持部から離れる方向に延びる取付足を含むガイドフレームと、前記リング保持部の嵌合孔に圧入されて内嵌されるガイドリングとを備えた一本足タイプの釣糸ガイドに関するものである。
【背景技術】
【０００２】
所謂一本足タイプの釣糸ガイドのガイドフレームは、通常１枚の金属製平板材をプレス加工して所定のフレーム形状に打ち抜き、さらに曲げ加工して所定の立体形状に成形することにより形成されたものであり、典型的な例として、図８の従来品（非特許文献１）の釣糸ガイド１００のガイドフレーム１０１が挙げられる。このガイドフレーム１０１では、リング保持部１０３の外周部にはその全周にわたって円筒状の周壁１０５が形成されており、一対の側支脚１０７がその周壁１０５の後端(＝竿尻側端部)から延出した後合流して取付足１０９に至っている。この周壁１０５はリング保持部１０３の外周側部を絞り加工によって竿尻側に向かって断面Ｌ字状をなすように折り曲げられて形成されたものである。この周壁１０５を設けることによって、釣竿の運搬時などに割れ易いガイドリング１１１が周囲の物と直接衝突して割れたりするのを防止している。
【０００３】
【非特許文献１】「Ｆｕｊｉ  ＮＥＷ  ＧＵＩＤＥ  ＣＯＮＣＥＰＴ  ルアーロッド編」，富士工業株式会社，１９９７年１月２７日，Ｄ３０，Ｐ８
【発明の開示】
【発明が解決しようとする課題】
【０００４】
一本足タイプの釣糸ガイド、特に穂先側に取付けるものには軽量化が要求されており、如何にして軽量化を達成するかが常に模索されている。
しかしながら、ガイドフレーム全体を単純に細くして軽量化しようとすると、リング保持部、側支脚および取付部がそれぞれ担っている機能を十分なレベルで全うできなくなる。特に、図８に示す従来品の構造では側支脚１０７を単純に細くしてしまうと倒れ易くなる。
【０００５】
それ故、本発明は、釣糸ガイドが担うべき本来の機能を損なわずに、無理なく軽量化を達成できる、形状の工夫された釣糸ガイドを提供することを目的とする。
【課題を解決するための手段】
【０００６】
上記課題を解決するために、鋭意研究の結果、リング保持部の形状を工夫することで、リング保持部と側支脚の機能を損なわずに軽量化を図ることに成功した。以下に、本発明を説明する。
請求項１の発明は、嵌合孔を有するリング保持部と、前記リング保持部の左右両側から延出して下方に延びる側支脚と、前記側支脚の下端に基端が連設し後端が前記リング保持部から離れる方向に延びる取付足を含むガイドフレームと、前記リング保持部の嵌合孔に圧入されて内嵌されるガイドリングとを備え、前記取付足を前記基端が竿先側を向き前記後端が竿尻側を向く状態で竿体に着座させて取り付ける一本足タイプの釣糸ガイドにおいて、前記リング保持部の頂部側には竿尻側に向かって立ち上がった周壁が形成されており、前記側支脚は前記周壁の左右両側の下端から延出していることを特徴とする釣糸ガイドである。
【０００７】
請求項２の発明は、請求項１に記載した釣糸ガイドにおいて、周壁はリング保持部の頂部から左右６０°以上下がった位置まで延在していることを特徴とする釣糸ガイドである。
【０００８】
請求項３の発明は、請求項１または２に記載した釣糸ガイドにおいて、側支脚は略Ｖ字をなす２本の支脚によって構成されており、前記２本の支脚がリング保持部の周壁の左右両側の下端からそれぞれ延出していることを特徴とする釣糸ガイドである。
【０００９】
請求項４の発明は、請求項１から３のいずれかに記載された釣糸ガイドにおいて、リング保持部と側支脚は略同じ角度で竿先側に傾斜していることを特徴とする釣糸ガイドである。
【発明の効果】
【００１０】
本発明の釣糸ガイドによれば、リング保持部には釣竿の運搬時などに周囲の物と衝突し易い部位にだけ周壁が形成され、側支脚は無理に曲げることなく全長を短く設計できるので、軽量化を無理なく達成できる。
【発明を実施するための最良の形態】
【００１１】
本発明の第１の実施の形態に係る釣糸ガイド１を、図１〜図６に従って説明する。
先ず、釣糸ガイド１の全体構造を、図１に従って説明する。
釣糸ガイド１のガイドフレーム３は、嵌合孔５を有するリング保持部７と、リング保持部７の左右両側から延出して下方に延びる一対の略Ｖ字状側支脚１１、１１と、側支脚１１、１１の合体した下端に基端が連設し後端がリング保持部７から離れる方向に延びる舌片状の取付足１３とが一体に形成されてなる。側支脚１１、１１は傾斜した状態で取付足１３から立ち上がっており、側支脚１１、１１によって支持されるリング保持部７も側支脚１１、１１と同じ方向に略同じ角度で傾斜している。
【００１２】
上記したガイドフレーム３は、１枚の金属製平板材をプレス加工して所定のフレーム形状に打ち抜き、さらに曲げ加工して所定の立体形状に成形することにより形成されている。
リング保持部７の嵌合孔５には、セラミック等の硬質材で構成されたガイドリング１５が圧入されて内嵌されている。
釣糸ガイド１は、取付足１３を竿体に上側から着座させた姿勢で取り付ける。その際、取付足１３を基端が竿先側を向き後端が竿尻側を向く状態で竿体に着座させて取り付ける。従って、側支脚１１、１１が竿先側に傾斜するように配置されることになる。
【００１３】
次に、ガイドフレーム３の技術的特徴について、詳細に説明する。
図２に示すように、ガイドリング１５は真円形に設計されており、リング保持部７の内外周も内嵌されるガイドリング１５の形状に相似して真円形に設計されている。
【００１４】
そして、リング保持部７の頂部側、即ち竿体から離れた側（ａ）には、竿尻側に向かって立ち上がった周壁９が形成されている。この周壁９は、絞り加工により、リング保持部７の頂部側の外周部に連設された円弧状延長部を竿尻側に向かって断面が略Ｌ字状をなすように折り曲げられて形成されている。一方、リング保持部７の反頂部側、即ち竿体に近い側（ｂ）は打ち抜いた平板材のままであり、断面がＩ字状になっている。
従って、図３の断面図に示すように、ガイドリング１５がリング保持部７の嵌合孔５に圧入されて内嵌されると、ガイドリング１５の頂部側は周壁９が上方から被さった状態となって保護される。
【００１５】
一対の側支脚１１、１１は、図２（ｃ）に示すように、リング保持部７の周壁９の途切れた左右両側の下端から下方に向かってそれぞれ延出している。側支脚１１は竿軸に対して左右外方へ広がる向きに丸く曲円状に湾曲しながら傾斜して竿尻方向下方へ延び、折曲げ部を経て取付足１３に合流して一体になっている。
【００１６】
釣糸ガイド１を、図４に示すように竿尻側から見ると、上記した下端が、周壁９の外側の円弧状輪郭線ｘと側支脚１１の外側の輪郭線ｙとの間に境界点Ａとして現れる。この境界点Ａは、ガイドリング１５の中心Ｏとリング保持部７の頂部Ｔとを結ぶ中心線ｃから左右両側に６０°以上ずつ下がった位置にある。
この境界点Ａは側支脚１１の上端でもあるので、側支脚１１に絡まった釣糸が側支脚１１に沿って持ち上げられリング保持部７の頂部から抜け易くなるようにある程度の高さに設定することが必要であるが、その一方であまり高く設定すると、側支脚１１が過分に長くなる。従って、境界点Ａを左右両側に６０°以上ずつ下がった位置に設定することが好ましい。
【００１７】
上記したように、従来品のガイドフレーム１０１と異なり、本発明のガイドフレーム３では、リング保持部７の全周にわたって周壁９が形成されず欠落部分が有るので、その分だけ軽量化が図れる。しかも、図５に示すように、竿体ｓに取付けたときに釣糸ガイド１が運搬時などに周囲の物と直接衝突し易いのは、リング保持部７の頂部側とそれを挟んで配置される一対の側支脚１１、１１であり、ガイドリング１５を保護すべき周壁９はリング保持部７の頂部側には設けられているので、周壁９に要求されているガイドリング１５の保護機能は十分に全うされる。
【００１８】
また、図６の比較側面図に示すように、本発明のガイドフレーム３の側支脚１１はリング保持部７の周壁９の途切れた下端からそのまま下方に延出しているので、側支脚１１はリング保持部７の延長線（点線）上近くにある。一方、従来品のガイドフレーム１０１の側支脚１０７はリング保持部１０３の周壁の竿尻側端から延出しているので、リング保持部１０３の延長線（点線）から偏移して竿尻側に傾斜している。この比較から明らかなように、本発明の側支脚１１は従来品の側支脚１０７よりも全長が短くて済み、その分だけ軽量化が図れている。
【００１９】
加えて、リング保持部７の頂部Ｔから取付足１３の基端Ｂまでの全長の水平面投影長さ（ｄ１）は、従来品のリング保持部１０３の対応する水平面投影長さ（ｄ２）より短くなっているので、その長さの差分（＝ｄ２−ｄ１＞０）だけ、結果として曲げモーメントが小さくなり、釣糸ガイド１は変形し難くなる。
なお、従来品の変形例に示すように、側支脚１０７、１０７を竿先側に無理に曲げて全長を短くしようとすると、曲げた部分に余分な負荷が掛かって亀裂が発生し易くなる危険性があるが、本発明の側支脚１１はリング保持部７と略同じ角度で竿先側に傾斜しており、無理に曲げられていないので、そのような不都合もない。
【００２０】
また、釣糸ガイド１のガイドフレーム３の側支脚は、一対の略Ｖ字状側支脚１１、１１によって構成されており、竿尻方向から見てリング保持部７の下側、即ち竿体に近い側と略Ｖ字状側支脚１１、１１との間に逆三角形状の穴１２（図１）が形成されている。そのため、海水やゴミが溜まったりせず、軽量化が図れるので一層好ましい。
【００２１】
本発明の第２の実施の形態に係る釣糸ガイド２１について、図７に従って説明する。
図中、第１の実施の形態に係る構成部分と同じ構成部分は、同じ符号を付すことで説明を省略し、以下、相違点に絞ってこの実施の形態を説明する。
第１の実施の形態に係る釣糸ガイド１のガイドフレーム３の側支脚は、一対の略Ｖ字状側支脚１１、１１によって構成されており、竿尻方向から見てリング保持部７の下側、即ち竿体に近い側と略Ｖ字状側支脚１１、１１との間に逆三角形状の穴が形成されている。一方、この実施の形態のガイドフレーム２３の側支脚２５は三角形状をしており、リング保持部７の下側と全体にわたって連設されている。従って、ガイドフレーム３の穴１２に相当する部分が埋められている。
上記のガイドフレーム２３は、穂先側に取り付ける小さなものを想定している。
【００２２】
以上、本発明の実施の形態を説明したが、本発明の具体的構成が上記の実施の形態に限定されるものではなく、本発明の要旨から外れない範囲での設計変更があっても本発明に含まれる。
例えば、第２の実施の形態では、現在の小さいガイドフレームの製造限界を考慮して、穂先側の釣糸ガイドとして穴無しタイプが提案されているに過ぎず、竿体への取付け位置に拘束されず、本発明の釣糸ガイドを穴有りにするか穴無しにするかは任意である。
いずれにしても、特許請求されている形状等を除いては、従来からあるまたは将来案出される形状や製造を任意に組み合わせることができる。
【産業上の利用可能性】
【００２３】
本発明に係る釣糸ガイドによれば、本来要求されている諸機能を損なわずに、軽量化を無理なく達成できる。しかも、本発明に係る釣糸ガイドは従来方法より工程を増やさずに成形できるので、製造コストの上昇などを招かずに済む。
【図面の簡単な説明】
【００２４】
【図１】本発明の第１の実施の形態に係る釣糸ガイドの斜視図である。
【図２】図１の釣糸ガイドの一部破断斜視図である。
【図３】図１の釣糸ガイドの一部断面側面図である。
【図４】図１の釣糸ガイドの背面図である。
【図５】図４の釣糸ガイドにおける物の衝突範囲の説明図である。
【図６】図１の釣糸ガイドと従来品の釣糸ガイドとの比較側面図である。
【図７】本発明の第２の実施の形態に係る釣糸ガイドの一部破断斜視図である。
【図８】従来品の釣糸ガイドの一部破断斜視図である。
【符号の説明】
【００２５】
１‥‥釣糸ガイド（第１の実施の形態）
３‥‥ガイドフレーム                  ５‥‥嵌合孔
７‥‥リング保持部                    ９‥‥周壁
１１、１１‥‥一対の側支脚            １３‥‥取付足
１５‥‥ガイドリング
Ａ‥‥（周壁と側支脚の）境界点
Ｏ‥‥中心                            Ｔ‥‥（リング保持部の）頂部
ｘ‥‥周壁の外側輪郭線  ｙ‥‥側支脚の外側輪郭線    ｃ‥‥中心線
Ｂ‥‥（取付足の）基端                ｄ‥‥水平面投影長さ
ｓ‥‥竿体
２１‥‥釣糸ガイド（第２の実施の形態）
２３‥‥ガイドフレーム                ２５‥‥側支脚
【図１】
2010115149.tif 000003
【図２】
2010115149.tif 000004
【図３】
2010115149.tif 000005
【図４】
2010115149.tif 000006
【図５】
2010115149.tif 000007
【図６】
2010115149.tif 000008
【図７】
2010115149.tif 000009
【図８】
2010115149.tif 000010